(57)【要約】      （修正有）【課題】電気設備がどのような状態にあっても、電力出力ソースとして電器設備の電力（特に常態電力システムが提供する電力）を利用して、エネルギーの使用効率を高める。【解決手段】電源供給装置の電力転換システムは外部の電力供給ソースと電気的に接続し、電器設備がオン状態で電力を転換するメイン電力システムを起動することと、外部の電力供給ソースと常態的に電気接続し、直流電力に転換する常態電力システムと定義される。前記常態電力システムが出力する直流電力は電力オン−オフユニットを駆動するのに用いられ、前記電力オン−オフユニットから電器設備オン信号と電器設備オフ信号を出力する。電器設備の表面にバスを設け、前記バスは電力伝送ための端子を有し、前記電力伝送端子は前記常態電力システムと電気的に接続し、前記バスが前記電器設備のオン或いはオフ状態でも前記常態電力システムが出力する直流電力を取ることができる。【選択図】図２
0003134079.tif 000002
【実用新案登録請求の範囲】
【請求項１】
外部の電力ソースの電源供給装置を電気的に接続し、前記電源供給装置の電力転換システムは外部の電力ソースを常態的に電気接続し、直流電力に転換する常態電力システムと前記外部の電力ソースを電気的に接続し、電器設備がオン状態で電力を転換するメイン電力システムを起動すると定義される電源供給装置と、
前記電器設備の表面に設置し、前記バスは前記常態電力システムと常態的に電気接続し、前記バスが電器設備の状態に限定されず、常態電力システムから常態的に前記直流電力を転送、出力する少なくとも一つのバスを具備することを特徴とする永久電力供給バスを具えた電器設備。
【請求項２】
前記電器設備の内部にマザーボードを設置し、前記電源供給装置と前記バスの間を電気的に接続し、前記マザーボードにより直流電力を前記バスに接続し出力することを特徴とする請求項１に記載の永久電力供給バスを具えた電器設備。
【請求項３】
前記電源供給装置と前記バスの間に電力伝送ケーブルを電気的に接続することを特徴とする請求項１に記載の永久電力供給バスを具えた電器設備。
【請求項４】
前記複数のバスはインターフェース台座に統合されることを特徴とする請求項１に記載の永久電力供給バスを具えた電器設備。
【考案の詳細な説明】
【技術分野】
【０００１】
本考案は永久電力供給バスを具えた電気設備に関し、特に電器設備がオフ状態でも直流電力を前記バスに供給できる設計に関する。
【背景技術】
【０００２】
現在、市場にある多くの電器設備の電源供給装置は外部からの交流電源を供給源として直流電力に変換し、前記電源供給装置は前記直流電力を前記電気設備を駆動操作させるメイン電力システムと前記直流電力でオン・オフ信号を駆動させる常態電力システムからなる。前記常態電力システムはオン或いはオフ状態に拘わらず微弱な電流である滞在電力を供給し、主に前記電器設備を駆動させるために電力運用をするメイン電力システムに比べて、前記常態電力システムは主として前記滞在電力でリモートコントロールし、自動的にスイッチを切り替える目的を果たす。
【０００３】
パソコンホストを例にとると、現在配備されているマザーボードＡＴＸ(Ａｄｖａｎｃｅｄ  Ｔｅｃｈｎｏｌｏｇｙ  ｅＸｔｅｎｄｅｄ)規格の設計構造について、その特徴の一つに、電源供給装置を一体成形の設計を採用し、パソコンをオンにした際、多種類の直流電源（3.3Ｖ、5Ｖ、12Ｖ．．．）を提供する以外に、パソコンがオン、オフに拘わらず、パソコンホストが電力を起動する常態電力システムを提供する。また、テレビやメディア再生機器などのその他の電器設備も前記常態電力システムを具え、遠隔でオン、オフを操作したり定時にオン、オフを操作したりする機能がある。
【０００４】
このほかに、現行の電気設備の応用技術はさらに、オフ状態で常態電力システムを使用して単独で作動できる多くの外部電子装置へと発展しており、例えばスピーカー、常夜灯、ＣＤ―ＲＯＭパネルで直接音楽ＣＤを流すなどの装置であったり、又はケースに設置された小型液晶スクリーンが表示する温度、湿度、時間などの情報を観察したり、発光効果を具えた華麗なケースを鑑賞したりするなど、こうした運用では何れもオン状態にする必要がなく単独で作動できる。しかしさらに幅広い電器設備に運用するために、一般の常態電力システムが提供する滞在電力はどれも実際に必要とされる電力よりも大きく、余分な電力が有効活用されない恐れがある。今日、永続的発展という概念のもと、環境保護意識が次第に重要視されてきており、エネルギーに対する要求は発展的な代替的性格を持つ「グリーンエネルギー」の他に、「エネルギーの運用効率」によりエネルギーの浪費を減らすことも強調されている。
【０００５】
パソコン分野から発展したバス装置の中に、ＵＳＢ（Ｕｎｉｖｅｒｓａｌ  Ｓｅｒｉａｌ  Ｂｕｓ）とＩＥＥＥ−１３９４バスがあるが、その最大の特徴はホットプラグ（Ｈｏｔ  Ｐｌｕｇ）とプラグ＆プレイ（Ｐｌｕｇ＆Ｐｌａｙ）を支援できることである。これらは高度な利便性を具え、また各種電器設備に幅広く応用され、マウス、キーボード、ジョイスティック、その他のデータ伝送装置などの電子装置に大量に外付けするまでに拡がっている。データ伝送の用途以外に、それ自身も微量の直流電力を提供するので、多くのデータ伝送不要な前記電力伝送を受けるだけの装置へと発展しており、それらには照明装置、加熱装置、小型液晶表示装置、電子器材の充電器などがあり、前記バスの電力ソースが前記メイン電力システムから来ているので、パソコンホストがオフになると、電力伝送部分もそれにつれて中断される。一方、上記の多くのバスを単独で使用して電子装置に外付けしようとすれば、バスを具えた電器設備をオン状態にしてはじめてバスを通じて電子器材の充電などの機能を果たすことができ、このとき前記メイン電力システムは依然として大量に直流電力を流して前記電器設備を正常に作動させているので、大量のエネルギー浪費を招いている。
【０００６】
このため、従来のＵＳＢ（又はＩＥＥＥ−１３９４バス）を使用した電力構造を提供し、パソコンホストのバスにパソコンがオン或いはオフ何れでも直流電力を提供させるようにできれば、外部の電子装置はそれに整合するＵＳＢ若しくはＩＥＥＥ−１３９４バスのアダプタを設けることで本体のＵＳＢ若しくはＩＥＥＥ−１３９４バスを直接利用して直流電源を取ることができ、また電力使用の利便性や利用性も向上し、前述したエネルギーの浪費などのデメリットも回避できる。
【考案の開示】
【考案が解決しようとする課題】
【０００７】
本考案の主な目的は永久電力供給バスを具えた電器設備を提供することにあり、前記電器設備はパソコンホスト、テレビ、コンピューター若しくはテレビ用ゲーム機、メディア再生機器などに限られない。本考案は電器設備がオン或いはオフの状態で、電源供給装置の常態電力システムは何れも前記バスに電気を供給できる。
【課題を解決するための手段】
【０００８】
上記の目的を達成するために、本考案が開示する好ましい実施例は電源供給装置及び前記電源供給装置に電気接続するマザーボードからなり、前記電源供給装置にはメイン電力システムと常態電力システムを具備し、前記常態電力システムが出力する直流電力は電力オン・オフユニットを駆動させるのに用いられ、また前記電力オン・オフユニットは電器設備オン信号及び電器設備オフ信号を出力する。前記マザーボードには演算論理電気回路及び前記内部電子装置と電気接続するデータ転送ポートを設け、前記電器設備の表面には少なくとも一個のバスを設け、前記バスはＵＳＢ若しくはＩＥＥＥ−１３９４などで、前記バスには電力伝送端子を設け、前記電力伝送端子は前記常態電力システムに電気接続し、前記バスは電気伝送ケーブルを直接利用するか又は前記マザーボードにアダプタして電源供給装置と接続する。こうして電器設備に設けたバスは常態電力システムが提供する電力のみを取るだけで、アダプタと整合するどのような外部電子装置にも前述のバスを使用でき、電器設備が如何なる状態（特にオフ時）でも必要な直流電流が取れるのである。
【考案の効果】
【０００９】
このため本考案の永久電力供給バスを具えた電器設備は、一般電器設備がオフの状態にあるとき、常態電力システムが引き続き過電流を流すことでエネルギー浪費を招く恐れがあったり、バスを単独で使用して電力出力ソースとしようとすれば、前記電器設備をオン状態にさせなければならず、結果としてより多くのエネルギーの浪費を招くことになる。前記多用途バスを設置することで電気設備がどのような状態にあっても、電力出力ソースとして前記電器設備の電力（特に常態電力システムが提供する電力）を充分に利用して、エネルギーの使用効率を高めることができる。
【考案を実施するための最良の形態】
【００１０】
本考案に関する詳細説明及び技術内容は図面と照合して下記に説明する。
図１並びに図３は本考案の永久電力供給バスを具えた電器設備の好ましい実施例の構造図及び電気回路のブロック図である。図示するように、本実施例中の電器設備はパソコンホスト１０であり、前記パソコンホフト１０は下記のもを含む。
【００１１】
まず電源供給装置３０を含み、前記電源供給装置３０は、外部電力ソース２０（普通の電力で可）と電気接続して直流電力に変換するメイン電力システム３１及び前記メイン電力システム３１と前記外部電力ソース２０を並列接続し、直流電力に変換する常態電力システム３２からなり、前記メイン電力システム３１が出力する直流電力は少なくとも一つの内部電子装置４０（例：マザーボード、ＨＤＤ、ＣＤ−ＲＯＭ等）を駆動するのに用いられ、前記常態電力システム３２が出力する直流電力は電力オン・オフユニット８０を駆動するのに用いられ、前記電力オン・オフユニット８０はパソコンのオン信号及びオフ信号を出力するのに用いられる。こうしてパソコンホスト１０のオン状態若しくはオフ状態を制御でき、オン状態ではメイン電力システム３１は直流電力の出力に、オフ状態ではメイン電力システム３１は電力供給を中断する（ＡＴＸ規格の常態電力システム３２はなお引続き電力を供給し続ける）。
【００１２】
次に、前記メイン電力システム３１及び常態電力システム３２に電気接続するマザーボード５０を含み、マザーボード５０と電源供給装置３０との電気接続は主として電源供給装置３０の電力ケーブル３０１を通して、マザーボード５０のソケット５１と互いに接続して電力信号（５Ｖstbを含む）を伝送し、ＨＤＤ、ＣＤ−ＲＯＭ等の内部電子装置４０はデータ転送ポートとマザーボード５０を通してデータ信号を伝送し、また演算論理電気回路により処理を行うほか、前記マザーボード５０はさらに起動電力転送ポート５３を具え、マザーボード５０の電気回路により前記起動電力転送ポート５３は常態電力システム３２が出力する直流電力を有し、電力オン・オフユニット８０の電力伝送ケーブル８１は前記起動電力転送ポート５３に接続し前記常態電力システム３２と電気接続する。
【００１３】
前記パソコンホスト１０の表面にバス６０を取り付けるが、前記バス６０はＵＳＢやＩＥＥＥ−１３９４バスに限られず、前記複数のバス６０のインターフェース台座との統合もできる。前記バス６０は電力伝送端子６０１を備え、前記電力伝送端子６０１は前記常態電力システム３２に電気接続して直流電力を取り、前記バス６０を前記パソコンホスト１０がオン若しくはオフ状態の何れでも前記常態電力システム３２から出力する直流電力を受け取ることができる。
【００１４】
本件の好ましい実施例において、前記バス６０は電力伝送線６１２で前記マザーボード５０に接続し、さらに前記マザーボード５０の電力転送ポート５２bを通して前記常態電力システム３２と電機接続し、パソコンホスト１０が常態の状態で、常態電力システム３２の直流電力を受け取り、常夜灯、携帯電話の充電器等の外部電子装置７２と接続して電力信号を出力することができる。
【００１５】
別の実施例である図２では、前記バス６０は電力伝送ケーブル６１２を具備して電源供給装置３０に接続し、前記常態電力システム３２と電気接続して前実施例と同様の効果を上げることができる。上記に述べたように、本考案はパソコンホスト１０がオン若しくはオフの状態でも、電源供給装置３０の常態電力システム３２は前記バス６０に電気を供給し、これによってパソコンホスト１０に設置されたバス６０は常態電力システム３２が提供する直流電力を取るだけで、ジョイント（ＵＳＢ又はＩＥＥＥ−１３９４）と整合するどのような外部電子装置７２にも前述のバス６０が使用でき、パソコンホスト１０がオン又はオフの状態で必要な直流電源が取れ、電力運用の利便性が向上する。
【００１６】
本考案の永久電力供給バスを具えた電気設備はまた、異なる電器設備にも使用でき、図４、図５、図６で示すように、テレビ９１、パソコン若しくはテレビ用ゲーム機９２（ＰＳ３又はＷii）、メディア再生機器９３（ＤＶＤ放映機器）などに限らず各種機器にそれぞれ応用され、各電器設備の表面には少なくとも一つのバス６０を設け、前記バス６０は前記電力伝送端子６０１と接続する電力伝送ケーブル６１２と前記マザーボード５０又は前記電源供給装置３０の常態電力システム３２と接続してオン若しくはオフ状態でも直流電力が確保できる効果を上げる。以上述べてきた様に、本考案の永久電力供給バスを具えた電気設備のバス６０は電源供給装置３０の常態電力システム３２と直接或いは間接方式でもって電器と接続する関係を示しており、如何なる状態においても前記常態電力システム３２が提供する直流電力を利用して、オフの状態でも再度オンにする必要なくして前記バス６０が電力出力ソースとなることができ、電力エネルギーの使用効率を大幅に向上すると同時に、エネルギーを浪費したり遊ばせておくといった可能性を減らすことができるのである。
【００１７】
以上は本考案の好ましい実施例に過ぎず、これをもって本考案の実施範囲を限定するものではない。即ち、本考案が申請する特許範囲の内容に基いて行なった等価変更若しくは修正についても、全て本考案による技術の範囲内とする。
【図面の簡単な説明】
【００１８】
【図１】本考案における好ましい実施例の構造図である。
【図２】本考案における別の好ましい実施例の構造図である。
【図３】図１並びに図２の実施例の電気回路のブロック図である。
【図４】本考案の永久電力供給バスを具えた電気設備がテレビに応用された構造図である。
【図５】本考案の永久電力供給バスを具えた電気設備がパソコン若しくはテレビ用ゲーム機に応用された構造図である。
【図６】本考案の永久電力供給バスを具えた電気設備がメディア再生機器に応用された構造図である。
【符号の説明】
【００１９】
１０  パソコンソフト
２０  外部電力ソース
３０  電源供給装置
３０１電力ケーブル
３１  メン電力システム
３２  常態電力システム
４０  内部電子装置
５０  マザーボード
５１  ソケット
５２b 電力転送ポート
５３  起動電力転送ポート
６０  バス
６０１  電力伝送端子
６１２  電力伝送ケーブル
７２  外部電子装置
８０  電力オン・オフユニット
８１  電力伝送ケーブル
９１  テレビ
９２  テレビ用ゲーム機
９３  メディア再生機器
【図１】
0003134079.tif 000003
【図２】
0003134079.tif 000004
【図３】
0003134079.tif 000005
【図４】
0003134079.tif 000006
【図５】
0003134079.tif 000007
【図６】
0003134079.tif 000008